(57)【要約】【課題】  住宅が建築された後に居室部に設けられて、居室空間と一体となった意匠性に優れた屋内デザインを容易に形成することができると共に、自由度の高いレイアウトで趣向に富んだ取扱い易い収納部を容易に形成することのできる組合せユニットボックスを提供する。【解決手段】  本発明の組合せユニットボックス１０は、住宅建築物における居室部１１の床面１６と天井面１７との間の高さＨから、据付け用隙間巾を引いた長さの１／３の長さを一辺とする正方形の正面外周形状の各辺部に配置された、４枚の側板１３による外郭体１４からなるユニットボックス１５を上下に三体積み重ねたもの一組として、これらのユニットボックス１５を壁面１２に沿って三組並べて配置して使用する。【選択図】      図１
2005230079.tif 000002
【特許請求の範囲】
【請求項１】
住宅建築物における居室部の床面と天井面との間の高さから、据付け用隙間巾を引いた長さの１／３の長さを一辺とする正方形の正面外周形状の各辺部に配置された、４枚の側板による外郭体からなるユニットボックスを上下に三体積み重ねたもの一組として、これらのユニットボックスを二組以上並べて配置して用いる組合せユニットボックス。
【請求項２】
前記隣接するユニットボックスの接合面を挟んだ両側の側板には、当該両側の側板の互いに合致する位置に形成された填込み穴に配置されて、前記接合面の両側に跨って填込み部材が取り付けられることにより、前記接合面を挟んだ両側の側板が位置決めされた状態で固定される請求項１に記載の組合せユニットボックス。
【請求項３】
前記填込み部材は磁性を有している請求項２に記載の組合せユニットボックス。
【請求項４】
前記外郭体の中空内部には仕切り板が配設される請求項１〜３のいずれかに記載の組合せユニットボックス。
【請求項５】
住宅建築物における居室部の床面と天井面との間の高さから、据付け用隙間巾を引いた長さの１／３の長さを一辺とする正方形の正面外周形状の各辺部に配置された、４枚の側板による外郭体からなるユニットボックスを上下に三体積み重ねたものを一組として、これらのユニットボックスを前記居室部の壁面に二組以上並べて配置した居室構造。
【発明の詳細な説明】
【技術分野】
【０００１】
本発明は、組合せユニットボックス、及びユニットボックスを壁面に並べて配置した居室構造に関する。
【背景技術】
【０００２】
居間や寝室、子供部屋等の居室部の居室空間を有効に活用するべく、様々な家具や収納ボックス等が居住者の好みに合わせて設置されることになる。また居室部の壁面等に家具類を予め組み込んで住宅を建築することにより、これらの家具類と居室空間とが一体となった意匠性に優れた屋内デザインを提供するような試みもなされている。
【０００３】
一方、収納機能を多彩に組み合わせることにより、特に前面におけるデザイン性に高い統一感が得られるようにした収納家具（例えば、特許文献１参照）や、自由なレイアウトで組み合わせて設置することのできるユニット家具（例えば、特許文献２参照）が提案されているが、これらの家具は、組み合わされる家具同士の統一感は得られても、これが設置される居室部の居室空間との一体性が不足して、壁面等に予め組み込まれた家具類による優れた屋内デザインと同等のデザイン性を得ることが困難だった。
【０００４】
これ対して、収納スペース及び居住空間の双方を確保しつつ、居住者の任意のレイアウトを可能にする床下家具として、例えば半畳の大きさの、上面に畳が嵌め込まれた上面板、底面板、及び側面板がなす空間を収納スペースとしたユニット家具が開示されており（例えば、引用文献３参照）、このユニット家具によれば、居室部の床面に縦横に敷き詰められることによって、上方に居室空間が確保された二重床による収納スペースが、予め床面に収納スペースが造り込まれている如くに、居室部に一体として設けられることになる。
【特許文献１】特開２０００−２６２３３４号公報
【特許文献２】実用新案登録第３０６４６４６号公報
【特許文献３】特開２００１−３５３０３５号公報
【発明の開示】
【発明が解決しようとする課題】
【０００５】
しかしながら、特許文献３に記載のユニット家具による床下家具によれば、予め床面に収納スペースが造り込まれた如くに居室部との一体感が得られる一方で、特に床面の全体に亘ってユニット家具が敷き並べられた場合には、収容物を取り出し難くなり、結局床下家具の上方に別途家具や収納ボックス等を設置することになって、一般の居室空間と変わらない屋内デザインとなりやすい。
【０００６】
本発明は、このような従来の課題に着目してなされたもので、住宅が建築された後に居室部に設けられて、居室空間と一体となった意匠性に優れた屋内デザインを容易に形成することができると共に、自由度の高いレイアウトで趣向に富んだ取扱い易い収納部を容易に形成することのできる組合せユニットボックス、及びユニットボックスを壁面に並べて配置した居室構造を提供することを目的とする。
【課題を解決するための手段】
【０００７】
本発明は、住宅建築物における居室部の床面と天井面との間の高さから、据付け用隙間巾を引いた長さの１／３の長さを一辺とする正方形の正面外周形状の各辺部に配置された、４枚の側板による外郭体からなるユニットボックスを上下に三体積み重ねたもの一組として、これらのユニットボックスを二組以上並べて配置して用いる組合せユニットボックスを提供することにより、上記目的を達成したものである。
【０００８】
ここで、上記記載において、据付け用隙間巾は、ユニットボックスを居室部の壁面に沿って据え付けて設置する際に、据付け作業上必要とされる天井面との間の隙間であって、例えば１０〜５０ｍｍ程度の巾である。このような据付け用隙間巾は、組合せユニットボックスの下面又は上面に沿って、据付け用の敷板や覆い板を設ける場合には、これらの敷板や覆い板の厚さを加えた厚さである。また組合せユニットボックスの据付け後に、天井面と、覆い板或いは組合せユニットボックスの上面との間に、天井回り縁の巾を越えない程度の巾の隙間が残置されるような大きさの隙間巾である必要がある。
【０００９】
そして、本発明の組合せユニットボックスによれば、前記隣接するユニットボックスの接合面を挟んだ両側の側板には、当該両側の側板の互いに合致する位置に形成された填込み穴に配置されて、前記接合面の両側に跨って填込み部材が取り付けられることにより、前記接合面を挟んだ両側の側板が位置決めされた状態で固定されるようになっていることが好ましい。
【００１０】
また、本発明の組合せユニットボックスによれば、前記填込み部材は磁性を有していることが好ましい。
【００１１】
さらに、本発明の組合せユニットボックスによれば、前記外郭体の中空内部には仕切り板が配設されていることが好ましい。
【００１２】
また、本発明は、住宅建築物における居室部の床面と天井面との間の高さから、据付け用隙間巾を引いた長さの１／３の長さを一辺とする正方形の正面外周形状の各辺部に配置された、４枚の側板による外郭体からなるユニットボックスを上下に三体積み重ねたものを一組として、これらのユニットボックスを前記居室部の壁面に二組以上並べて配置した居室構造を提供することにより、上記目的を達成したものである。
【発明の効果】
【００１３】
本発明の組合せユニットボックス及び居室構造によれば、住宅が建築された後に居室部に設けられて、居室空間と一体となった意匠性に優れた屋内デザインを容易に形成することができると共に、自由度の高いレイアウトで趣向に富んだ取扱い易い収納部を容易に形成することができる。
【発明を実施するための最良の形態】
【００１４】
図１は、本発明の好ましい一実施形態に係る組合せユニットボックス１０を居室部１１に設置して形成された居室構造を示すものであり、本実施形態によれば、組合せユニットボックス１０は、住宅建築物における居室部１１の床面１６と天井面１７との間の高さＨから、後述する据付け用隙間巾を引いた長さの１／３の長さを一辺とする正方形の正面外周形状の各辺部に配置された、４枚の側板１３による外郭体１４からなるユニットボックス１５を上下に三体積み重ねたもの一組として、これらのユニットボックス１５を三組（二組以上）居室部１１の壁面１２に沿って並べて配置することによって構成されている。
【００１５】
ここで、ユニットボックス１５は、図２に示すように、床面１６と天井面１７との間の高さＨから、据付け用隙間巾を引いた長さの１／３の長さとして、一辺が例えば７００〜９００ｍｍの長さの正方形の正面外周形状の外郭体１４を形成するべく、例えば厚さｔが１２〜３０ｍｍ、板巾ｂが２００〜４００ｍｍの矩形形状の４枚の側板１３を正方形に組み付けて、正面側及び背面側が開口面となった中空箱形形状に形成される。また本実施形態によれば、組合せユニットボックス１０を構成する９体のユニットボックス１５のうちの、適宜選択された特定の複数のユニットボックス１５には、外郭体１６によって囲まれた中空内部に縦方向或いは横方向に横切るようにして仕切板１８ａ，１８ｂが取り付けられることにより、当該中空内部が特定の区画に仕切られ、収納家具としての利便性を向上させている。
【００１６】
図３（ａ）〜（ｄ）は、ユニットボックス１５の中空内部に仕切板１８ａ，１８ｂを設置するための構造の一例を示するものであり、図３（ａ）〜（ｄ）によれば、例えば後方略半分の領域に複数の後方差込み切欠き１９ａが形成された縦方向仕切板１８ａを、外郭体１４の両側の内側面及び中央部分を横切って取り付けると共に、前方略半分の領域において後方差込み切欠き１９ａに選択的に差込み可能な位置に前方差込み切欠き１９ｂが形成された横方向仕切板１８ａを、前方差込み切欠き１９ｂを後方差込み切欠き１９ａに差込みつつ縦方向仕切板１８ａと垂直に交差するように取り付けることにより、中空内部が特定の区画に仕切られたユニットボックス１５が容易に形成されることになる。
【００１７】
なお、ユニットボックス１５の仕切板１８ａ，１８ｂによって仕切られた区画には、適宜引出し等を設けることも可能であり、ユニットボックス１５の正面側に、開閉扉等を設けておくこともできる。またユニットボックス１５の背面側に背板を設けて、当該背面側の開口面を閉塞しておくこともできる。さらに、ユニットボックス１５の中空内部に仕切板１８ａ，１８ｂを設置することなく、外郭体１４のまま用いて、例えばテレビ等の大きなものを設置するためのスペースとして使用することもできる。
【００１８】
そして、本実施形態によれば、図４（ａ），（ｂ）に示すように、例えば上下に隣接するユニットボックス１５の接合面２０を挟んだ両側の側板１３ａ，１３ｂには、当該両側の側板１３ａ，１３ｂの互いに合致する位置に形成された填込み穴２１ａ，２１ｂに配置されて、接合面２０の両側に跨って填込み部材２２が取り付けられることにより、接合面２０を挟んだ両側の側板１３ａ，１３ｂが位置決めされた状態で固定されている。
【００１９】
すなわち、本実施形態によれば、下方に位置する側板１３ａには、これを上下に貫通する円形断面の填込み穴２１ａが２箇所に形成されていると共に、この填込み穴２１ａの下半部分には、落下防止栓２３が取付け固定されている。一方、上方に位置する側板１３ｂには、下方に位置する側板１３ａの填込み穴２１ａと合致する位置に、上下に貫通する円形断面の填込み穴２１ｂが２箇所に形成されていると共に、この填込み穴２１ｂには、これの内周形状と略同様の外周形状を有する円筒体である填込み部材２２が、摺動可能な状態で装着されている。そして、上下に隣接するユニットボックス１５を積み重ねた後、上下の側板１３ａ，１３ｂの互いに合致した填込み穴２１ａ，２１ｂを経て、落下防止栓２３に当接するまで填込み部材２２を下方に押し込むことにより、接合面２０の両側に跨って填込み部材２２が設置されることになり、これによって上下に積み重ねられたユニットボックス１５を正確に位置決めすることが可能になると共に、接合面２０に沿ったせん断方向の力を支持して、ユニットボックス１５のずれを効果的に回避することが可能になる。
【００２０】
また、本実施形態によれば、図５に示すように、填込み部材２２が磁性を有するようにしておくこともできる。填込み部材２２に磁性（例えばＮ極）を持たせておくことにより、同様に磁性（例えばＳ極）を持たせた落下防止栓２３に向けて填込み部材２２を押し込む作業をさらにスムーズに行うことが可能になると共に、填込み部材２２と落下防止栓２３とを強固に密着させて、隣接するユニットボックス１５をさらに強固に位置決め固定することが可能になる。
【００２１】
なお、磁性を持たせた填込み部材２２の取付け構造として、例えば図（ａ），（ｂ）に示すようなものを採用することもできる。すなわち、図６（ａ）によれば、下方に位置する側板１３ａの填込み穴２１ａの下半部分に雌ネジ２５ａを形成すると共に、上方に位置する側板１３ｂの填込み穴２１ｂの上半部分に雌ネジ２５ｂを形成しておき、合致した填込み穴２１ａ，２１ｂに装着した填込み部材２２を、下方及び上方からネジ込むようにして取り付けた一対の固定栓２４ａ，２４ｂの間に挟み込むようにして固定することにより、当該填込み部材２２を、接合面２０の両側に跨った状態で取り付けるようにしたものである。また図６（ｂ）によれば、填込み穴２６ａ，２６ｂを上下に貫通させることなく形成すると共に、これらの下半部分或いは上半部分に雌ネジを形成して固定栓２７ａ，２７ｂを取り付け、これらの固定栓２７ａ，２７ｂによって上下から挟み込むようにしつつ、装着した填込み部材２２を固定することにより、当該填込み部材２２を、接合面２０の両側に跨った状態で取り付けるようにしたものである。これらの取付け構造によっても、隣接するユニットボックス１５をさらに強固に位置決め固定することが可能になる。
【００２２】
また、上述のような、接合面２０に跨って填込み部材２２を設置することによる隣接するユニットボックス１５の側板１３同士の位置決めは、上下に隣接するユニットボックス１５に対してのみならず、左右に隣接するユニットボックス１５に対しても行うことができる。
【００２３】
本実施形態によれば、三組、合計９体のユニットボックス１５を用いて組合せユニットボックス１０を形成するには、図１に示すように、当該組合せユニットボックス１０の設置箇所の床面１７に、例えば１０〜３０ｍｍ程度の厚さの据付け用の敷板２８を設置した後、９体のユニットボックス１５を、例えば上述の填込み部材２２を用いて互いに位置決め固定しつつ、３段に積み重ねると共に３列に並べて配置して組み立てる。しかる後に、最上段の３体のユニットボックス１５の上面を一体として覆うようにしつつ、例えば１０〜３０ｍｍ程度の厚さの覆い板２９を敷設して固定することにより、組合せユニットボックス１０が設けられることになる。
【００２４】
ここで、各ユニットボックス１５は、居室部１１の床面１６と天井面１７との間の高さＨから、例えば１０〜５０ｍｍ程度の巾の据付け用隙間巾を引いた長さの１／３の長さを一辺とする、正方形の正面外周形状の各辺部に配置された４枚の側板１３による外郭体１４からなるので、これらを３段に重ねた場合でも、据付け用隙間巾の存在により、最上段のユニットボックス１５を据え付ける際や、覆い板２９を敷設する際の作業をスムーズに行うことが可能になる。また、据付け用隙間巾は、組合せユニットボックス１０の下面又は上面に沿って設けられる据付け用の敷板２８や覆い板２９の厚さを含む巾であり、組合せユニットボックス１０の据付け後に、天井面１７と覆い板２９の上面との間に、天井回り縁３０の巾Ｂを越えない程度の巾の隙間しか残置されないことになるので、居室部１１における床面１６と天井面１７との間の高さＨの空間を隙間無く効率良く利用しながら、組合せユニットボックス１０を設置することが可能になる。
【００２５】
さらに、天井面１７と覆い板２９の上面との間には、天井回り縁３０の巾Ｂを越えない程度の僅かな巾の隙間しか残置されないことから、居室部１１にいる居住者は、組合せユニットボックス１０と天井面１７とが一体となった屋内デザインを感じ取ることが可能になり、組合せユニットボックス１０が屋内家具として住宅の建築時から造り込まれているような、居室空間と一体となった意匠性に優れた屋内デザインを容易に形成することが可能になる。さらにまた、組合せユニットボックス１０は、住宅の建築後に居室部１１に設けられるので、設置位置を自由に変更することができると共に、使用に適したユニットボックス１５の組合せに変更して組合せユニットボックス１０を設置することも可能になり、居室部１１のインテリアデザインを趣向に応じたレイアウトに容易に変更することも可能になる。
【００２６】
したがって、本実施形態によれば、住宅が建築された後に居室部１１に組合せユニットボックス１０が設けられて、居室空間と一体となった意匠性に優れた屋内デザインを容易に形成することができると共に、自由度の高いレイアウトで趣向に富んだ取扱い易い収納部を容易に形成することができる。
【００２７】
なお、本発明は上記実施形態に限定されることなく種々の変更が可能である。例えば、組合せユニットボックスは、 ユニットボックスを上下に三体積み重ねたもの一組として、居室部に三組並べて配置して形成する必要は必ずしもなく、例えば二組又は四組以上並べて配置して用いることもできる。また、上記組合せユニットボックスによれば、他の使用形態として、例えば図７に示すように、各ユニットボックス３１に仕切り板３２を縦横に配置して支持部とすると共に、各ユニットボックス３１の上面部分に、正方形に形成した畳３３を、支持板３４に重ね合わせるようにしつつ当該支持板３４と共に填め込むようにして取り付け、これらのユニットボックス３１を床面３５に縦横に敷き並べることにより、居室部に畳床部３６を設置するために用いることもできる。
【図面の簡単な説明】
【００２８】
【図１】本発明の一実施形態に係る組合せユニットボックスを居室部に設けた居室構造を示す部分斜視図である。
【図２】本発明の一実施形態に係る組合せユニットボックスを構成するユニットボックスを例示する斜視図である。
【図３】（ａ）〜（ｄ）は、ユニットボックスの中空内部に仕切板を設置するための構造の例示する説明図である。
【図４】（ａ）は、接合面の両側に跨って填込み部材を取り付けることにより、接合面を挟んだ両側の側板を位置決めする構成を説明する正面図、（ｂ）は同断面図である。
【図５】磁性を持たせた填込み部材の取付け構造を説明する断面図である。
【図６】（ａ）及び（ｂ）は、磁性を持たせた填込み部材の他の取付け構造を説明する断面図である。
【図７】組合せユニットボックスの他の使用形態を説明する部分斜視図である。
【符号の説明】
【００２９】
１０  組合せユニットボックス
１１  居室部
１２  壁面
１３，１３ａ，１３ｂ  側板
１４  外郭体
１５  ユニットボックス
１６  床面
１７  天井面
１８ａ  縦方向仕切板
１８ｂ  横方向仕切板
１９ａ  後方差込み切欠き
１９ｂ  前方差込み切欠き
２０  接合面
２１ａ，２１ｂ  填込み穴
２２  填込み部材
２３  落下防止栓
２４ａ，２４ｂ，２７ａ，２７ｂ  固定栓
２５ａ，２５ｂ  雌ネジ
２６ａ，２６ｂ  填込み穴
２７  側壁パネル
２８  据付け用の敷板
２９  覆い板
３０  天井回り縁
【図１】
2005230079.tif 000003
【図２】
2005230079.tif 000004
【図３】
2005230079.tif 000005
【図４】
2005230079.tif 000006
【図５】
2005230079.tif 000007
【図６】
2005230079.tif 000008
【図７】
2005230079.tif 000009